(57)【要約】  【課題】  スピーカの筐体の対向面に背合わせにてパッシブラジエータを備えるパッシブラジエータ搭載型スピーカの前面パネル側に位置する聴者に、従来よりも迫力のある重低音を提供する。  【解決手段】  本発明は、スピーカの筐体１０内の空気振動を利用して共振する第１パッシブラジエータ２１および第２パッシブラジエータ２２をそれぞれ筐体１０の対向面１１，１２に背合わせに備え、対向面の内の一方の面１２に備える第２パッシブラジエータ２２と外方向に間隔をあけて対向する位置に反射部材４０を備えるパッシブラジエータ搭載型スピーカ１に関する。【選択図】図１
2018056747.tif 000002
【特許請求の範囲】
【請求項１】
スピーカの筐体内の空気振動を利用して共振する第１パッシブラジエータおよび第２パッシブラジエータをそれぞれ前記筐体の対向面に背合わせに備えるパッシブラジエータ搭載型スピーカであって、
前記対向面の内の一方の面に備える前記第２パッシブラジエータと外方向にて間隔をあけて対向する位置に反射部材を備えるパッシブラジエータ搭載型スピーカ。
【請求項２】
前記反射部材は、前記第２パッシブラジエータを覆う第１位置から、前記第２パッシブラジエータから離れる第２位置まで往復可動である請求項１に記載のパッシブラジエータ搭載型スピーカ。
【請求項３】
前記反射部材は、前記一方の面に平行な平行反射板を備える請求項１または請求項２に記載のパッシブラジエータ搭載型スピーカ。
【請求項４】
前記反射部材は、前記第２パッシブラジエータからの音を、前記筐体の左側および右側にそれぞれ反射させる左側反射板および右側反射板を備える請求項１から請求項３のいずれか１項に記載のパッシブラジエータ搭載型スピーカ。
【請求項５】
前記反射部材は、前記第２パッシブラジエータからの音を、前記筐体の上側に反射させる上側反射板を備える請求項１から請求項４のいずれか１項に記載のパッシブラジエータ搭載型スピーカ。
【請求項６】
前記反射部材は、前記第２パッシブラジエータからの音を、前記筐体の下側に反射させる下側反射板を備える請求項５に記載のパッシブラジエータ搭載型スピーカ。
【発明の詳細な説明】
【技術分野】
【０００１】
本発明は、パッシブラジエータを搭載したスピーカに関する。
【背景技術】
【０００２】
一般的に、小型のスピーカでは低音を出しにくいため、効果的に低音を出す方法として、バスレフ方式や、パッシブラジエータ方式などが知られている。パッシブラジエータとは、スピーカユニットから電磁気回路を取り除き、スピーカの筐体内の空気振動を利用して動作させるスピーカユニットをいう。パッシブラジエータは、一定の周波数で共振し、主に低音域の増幅及び補強を行うことによって迫力のある重低音を出すことができることから、小型のポータブルスピーカなどに用いられている（例えば、特許文献１を参照）。
【０００３】
図７は、従来から公知のパッシブラジエータを搭載したスピーカの前方斜視図（７Ａ）および後方斜視図（７Ｂ）をそれぞれ示す。
【０００４】
図７に示す従来のパッシブラジエータ搭載型スピーカ１００は、筐体１０１の開口側に、パッシブラジエータ１２１と、正面視にてパッシブラジエータ１２１を挟んで左右両側にスピーカユニット１３１，１３１を備えた前面パネル１１１を備える。パッシブラジエータ搭載型スピーカ１００は、前面パネル１１１と反対側（裏側）に、後面パネル１１２を備える。後面パネル１１２は、前面パネル１１１側のパッシブラジエータ１２１と対向する位置に、同形態のパッシブラジエータ１２２を備える。このように、パッシブラジエータ搭載型スピーカ１００は、筐体１０１の表裏背合わせにて、各１個のパッシブラジエータ１２１，１２２を備える。
【先行技術文献】
【特許文献】
【０００５】
【特許文献１】特開２００９−２３２０４０号公報
【発明の概要】
【発明が解決しようとする課題】
【０００６】
しかし、上記のような構造を持つパッシブラジエータ搭載型スピーカ１００は、次のような課題を有している。それは、パッシブラジエータ搭載型スピーカ１００を広い空間に置き、前面パネル１１１側にて音響を聞く場合に、後面パネル１１２側のパッシブラジエータ１２２からの音が背面側に逃げてしまい、前面パネル１１１側の聴者の耳に入りにくくなるという問題である。この結果、重低音の音量が不足してしまう。
【０００７】
本発明は、上記課題を解決するためになされたものであって、スピーカの筐体の対向面に背合わせにてパッシブラジエータを備えるパッシブラジエータ搭載型スピーカの前面パネル側に位置する聴者に、従来よりも迫力のある重低音を提供することを目的とする。
【課題を解決するための手段】
【０００８】
上記目的を達成するための一実施の形態に係るパッシブラジエータ搭載型スピーカは、スピーカの筐体内の空気振動を利用して共振する第１パッシブラジエータおよび第２パッシブラジエータをそれぞれ筐体の対向面に背合わせに備え、対向面の内の一方の面に備える第２パッシブラジエータと外方向に間隔をあけて対向する位置に反射部材を備える。
【０００９】
別の実施の形態に係るパッシブラジエータ搭載型スピーカでは、さらに、反射部材は、第２パッシブラジエータを覆う第１位置から、第２パッシブラジエータから離れる第２位置まで往復可動であっても良い。
【００１０】
別の実施の形態に係るパッシブラジエータ搭載型スピーカでは、また、反射部材は、一方の面に平行な平行反射板を備えても良い。
【００１１】
別の実施の形態に係るパッシブラジエータ搭載型スピーカでは、また、反射部材は、第２パッシブラジエータからの音を、筐体の左側および右側にそれぞれ反射させる左側反射板および右側反射板を備えても良い。
【００１２】
別の実施の形態に係るパッシブラジエータ搭載型スピーカでは、また、反射部材は、第２パッシブラジエータからの音を、筐体の上側に反射させる上側反射板を備えても良い。
【００１３】
別の実施の形態に係るパッシブラジエータ搭載型スピーカでは、さらに、反射部材は、第２パッシブラジエータからの音を、筐体の下側に反射させる下側反射板を備えても良い。
【発明の効果】
【００１４】
本発明によれば、スピーカの筐体の対向面に背合わせにてパッシブラジエータを備えるパッシブラジエータ搭載型スピーカの前面パネル側に位置する聴者に、従来よりも迫力のある重低音を提供できる。
【図面の簡単な説明】
【００１５】
【図１】図１は、第１実施形態に係るパッシブラジエータ搭載型スピーカの後面パネル側から後方に向かって反射部材を引き出した状態の前方斜視図（１Ａ）、当該反射部材を引き出した状態の後方斜視図（１Ｂ）、当該反射部材を後面パネルに向かって収納した状態の前方斜視図（１Ｃ）および当該反射部材を後面パネルに向かって収納した状態の後方斜視図（１Ｄ）を、それぞれ示す。
【図２】図２は、図１のスピーカの前面パネルの長さ方向略中央部分にて切断した状態における第１パッシブラジエータの断面構造を示す。
【図３】図３は、第２実施形態に係るパッシブラジエータ搭載型スピーカの反射部材を後面パネルに向かって収納した状態の後方斜視図（３Ａ）、当該反射部材を後方に引き出した状態の後方斜視図（３Ｂ）、（３Ｂ）の状態から左側反射板および右側反射板の各角度を変化させた状態の後方斜視図（３Ｃ）を、それぞれ示す。
【図４】図４は、第３実施形態に係るパッシブラジエータ搭載型スピーカの反射部材を後面パネルに向かって収納した状態の後方斜視図（４Ａ）、当該反射部材を後方に引き出した状態の後方斜視図（４Ｂ）、（４Ｂ）の状態から上側反射板の角度を変化させた状態の後方斜視図（４Ｃ）を、それぞれ示す。
【図５】図５は、第４実施形態に係るパッシブラジエータ搭載型スピーカの後方に向かって反射部材を引き出した状態の前方斜視図（５Ａ）、当該反射部材を引き出した状態の後方斜視図（５Ｂ）、当該反射部材を後面パネルに向かって収納した状態の前方斜視図（５Ｃ）および当該反射部材を後面パネルに向かって収納した状態の後方斜視図（５Ｄ）を、それぞれ示す。
【図６】図６は、第５実施形態に係るパッシブラジエータ搭載型スピーカの後方に向かって反射部材を引き出した状態の前方斜視図（６Ａ）、当該反射部材を引き出した状態の後方斜視図（６Ｂ）、当該反射部材を後面パネルに向かって収納した状態の前方斜視図（６Ｃ）および当該反射部材を後面パネルに向かって収納した状態の後方斜視図（６Ｄ）を、それぞれ示す。
【図７】図７は、従来から公知のパッシブラジエータを搭載したスピーカの前方斜視図（７Ａ）および後方斜視図（７Ｂ）をそれぞれ示す。
【発明を実施するための形態】
【００１６】
以下、本発明に係るパッシブラジエータ搭載型スピーカの各実施形態について、図面を参照しながら説明する。
【００１７】
（第１実施形態）
図１は、第１実施形態に係るパッシブラジエータ搭載型スピーカの後面パネル側から後方に向かって反射部材を引き出した状態の前方斜視図（１Ａ）、当該反射部材を引き出した状態の後方斜視図（１Ｂ）、当該反射部材を後面パネルに向かって収納した状態の前方斜視図（１Ｃ）および当該反射部材を後面パネルに向かって収納した状態の後方斜視図（１Ｄ）を、それぞれ示す。
【００１８】
パッシブラジエータ搭載型スピーカ（以後、単に「スピーカ」という）１は、略直方体形状であってその内部に空間を備える筐体１０を備える。筐体１０は、筐体１０の六面の内の一つの面（ここでは、「前面」ともいう）に備える前面パネル１１と、前面パネル１１と対向する面（ここでは、「後面」ともいう）に備える後面パネル１２と、を備える。筐体１０の主要材料としては、ポリアミド、ポリプロピレン、ポリエチレンテレフタレート、アクリル樹脂、ポリブチレンテレフタレート、ポリカーボネート、ポリフェニレンサルファイド、ＡＢＳ樹脂などを好適に例示できる。上記樹脂の内で特に好ましい樹脂はポリカーボネートである。また、筐体１０は、ガラスファイバーやカーボンファイバーなどを上記樹脂内に分散させたＦＲＰで構成しても良い。さらには、筐体１０をアルミニウム等の金属あるいは木材で構成しても良い。以後の各実施形態でも同様である。
【００１９】
前面パネル１１は、前面パネル１１に向かって正面視にて、略中央部分に第１パッシブラジエータ２１を、第１パッシブラジエータ２１の左右両側に各１個のスピーカユニット３１，３１を、それぞれ搭載する。第１パッシブラジエータ２１およびスピーカユニット３１，３１は、前面パネル１１の貫通孔にて、音を出力する側を外方向にするように埋め込まれている。
【００２０】
一方、後面パネル１２は、後面パネル１２に向かって正面視にて、略中央部分に第２パッシブラジエータ２２を搭載する。第２パッシブラジエータ２２は、後面パネル１２の貫通孔にて、音を出力する側を外方向にするように埋め込まれている。第１実施形態およびこれ以降の各実施形態では、第２パッシブラジエータ２２は、第１パッシブラジエータ２１と略同一形状を有する。ただし、第２パッシブラジエータ２２は、第１パッシブラジエータ２１と異なる大きさ、形状または構造を持つものでも良い。第１パッシブラジエータ２１および第２パッシブラジエータ２２は、共に、スピーカ１の筐体１０内の空気振動を利用して共振するスピーカユニットである。スピーカ１は、第１パッシブラジエータ２１および第２パッシブラジエータ２２をそれぞれ筐体１０の対向面に背合わせに備えている。なお、第１パッシブラジエータ２１および第２パッシブラジエータ２２の構成については、後述する。
【００２１】
スピーカ１は、第２パッシブラジエータ２２と外方向に間隔をあけて対向する位置に反射部材４０を備える。反射部材４０は、好ましくは、第２パッシブラジエータ２２を覆う第１位置から、第２パッシブラジエータ２２から後方に離れる第２位置まで往復可動となっている。反射部材４０は、略Ｌ字形状の板状部材であって、後面パネル１２に平行な平行反射板４１と、スピーカ１の底面に収納および引出可動な略水平の底板４２とを略直角に接続して成る。反射部材４０を第１位置に移動した際には、底板４２は、筐体１０の底部とほぼ重なった状態となる。また、平行反射板４１は、第２パッシブラジエータ２２を覆い、後面パネル１２に接する状態になる。平行反射板４１は、第２パッシブラジエータ２２を完全に覆うように、第２パッシブラジエータ２２よりも広い面積を有する板であるのが好ましい。
【００２２】
反射部材４０を第２位置に移動した際には、底板４２は、筐体１０の底部から後方へと引き出された状態となる。また、平行反射板４１は、第２パッシブラジエータ２２と略平行を維持したまま、後面パネル１２から所定距離だけ離れた状態になる。この結果、第２パッシブラジエータ２２から出力される音は、平行反射板４１に到達後、平行反射板４１で反射されて、前方に回り込み、前面パネル１１と向かい合っている聴者の耳に伝わる。反射部材４０の主要材料としては、上述した筐体１０の主要材料の候補から選択できる。反射部材４０は、好ましくは、共振しにくい材料から構成される。平行反射板４１は、第２パッシブラジエータ２２との対向面に、ゴム、フェルト、スポンジあるいは紙を貼り付けて、特定の周波数の音をカットした反射音を得るようにしても良い。反射部材４０の上記の材料あるいは構成については、以後の各実施形態における各種反射部材４０ａ，４０ｂ，４０ｃ，４０ｄにおいても同様である。
【００２３】
反射部材４０は、筐体１０から分離可能に構成されていても良く、その場合、底板４２を筐体１０の底部から抜ける構成を有していても良い。また、反射部材４０は、筐体１０から容易に分離できないように構成されていても良く、その場合、底板４２に、筐体１０の底部に底板４２の先端部分を保持するためのストッパーを備えても良い。反射部材４０は、平行反射板４１と第２パッシブラジエータ２２との距離を調整可能に構成されているため、当該距離の調整によって、反射音の出力を変化させ、もって聴者に好みの音色を出力させることができる。
【００２４】
図２は、図１のスピーカの前面パネルの長さ方向略中央部分にて切断した状態における第１パッシブラジエータの断面構造を示す。
【００２５】
ここでは、第１パッシブラジエータ２１および前面パネル１１の各構造を説明する。なお、第２パッシブラジエータ２２は、第１パッシブラジエータ２１と同一構造であるため、ここでは、第１パッシブラジエータの構造についてのみ説明し、重複説明を省略する。また、図２は、スピーカユニット３１，３１を外した状態を示す。以後の各実施形態でも、第１パッシブラジエータ２１および前面パネル１１の以下の内容は同様である。
【００２６】
第１パッシブラジエータ２１は、その内部略中央に配置される振動板５０と、その振動板５０の外周と前面パネル１１との間に形成されていて中空構造を持つ弾性フランジ５１と、を備える。振動板５０は、鉄、ステンレス鋼、タングステン鋼などの金属から成り、特に比重の大きな金属から成るのがより好ましい。弾性フランジ５１の構成材料としては、好ましくは、シリコーンゴム、ウレタンゴム、エチレンプロピレンゴム、ブチルゴム、エチレンプロピレンジエンゴム、ニトリルゴムを挙げることができる。また、弾性フランジ５１を、エステル系、スチレン系、オレフィン系あるいはフッ素系等の熱可塑性エラストマーあるいはそれらの複合物等を用いて構成しても良い。それら材料の内、特に、シリコーンゴムが好ましい。第１パッシブラジエータ２１は、スピーカユニット３１，３１の振動に共振して、振動板５０を振動させる。振動板５０が正常に振動するためには、弾性フランジ５１は、振動板５０をしっかりと保持しつつ、振動板５０の振動を妨げずに自由に振動板５０を振動させる形態であることを要する。なお、弾性フランジ５１は、中空構造を持つものに限定されず、中実構造を持つものでも良い。
【００２７】
弾性フランジ５１は、前面パネル１１の主要骨格を構成するパネル本体５４と振動板５０との間を接続する構成部である。弾性フランジ５１は、中空構造を持つ第１フランジ５２と、該第１フランジ５２よりもパネル本体５４側に位置する第２フランジ５３と、を備える。第１フランジ５２は、中空のリング形状を有する構成部であり、その内側を振動板５０に、その外側を第２フランジ５３に、それぞれ接続する。第２フランジ５３は、中実のリング形状を有する構成部であり、その内側を第１フランジ５２に、その外側をパネル本体５４に、それぞれ接続する。第１フランジ５２と第２フランジ５３は、細いループ状の領域で接続されている。このため、振動板５０は、第２フランジ５３に対して限りなくフリーの状態にて、筐体１０の開口面に対して前後方向に振動できる。
【００２８】
前面パネル１１は、その外周囲に、シール部材５５を備える。シール部材５５は、筐体１０の開口部の内周縁部と前面パネル１１との隙間を無くし、前面パネル１１を筐体１０の開口部に密着させるのに寄与する。この結果、筐体１０内の空気の振動は、筐体１０の外部に漏れにくく、確実に第１パッシブラジエータ２１および第２パッシブラジエータ２２に伝わる。
【００２９】
（第２実施形態）
次に、第２実施形態に係るパッシブラジエータ搭載型スピーカについて説明する。第２実施形態において、第１実施形態と共通する部分については、第１実施形態における説明で代用し、重複した説明を省略する。
【００３０】
図３は、第２実施形態に係るパッシブラジエータ搭載型スピーカの反射部材を後面パネルに向かって収納した状態の後方斜視図（３Ａ）、当該反射部材を後方に引き出した状態の後方斜視図（３Ｂ）、（３Ｂ）の状態から左側反射板および右側反射板の各角度を変化させた状態の後方斜視図（３Ｃ）を、それぞれ示す。
【００３１】
スピーカ１の筐体１０の内部および外表面の構成は、第１実施形態と共通する。スピーカ１は、第２パッシブラジエータ２２と外方向に間隔をあけて対向する位置に反射部材４０ａを備える。反射部材４０ａは、好ましくは、第２パッシブラジエータ２２を覆う第１位置から、第２パッシブラジエータ２２から後方に離れる第２位置まで往復可動となっている。反射部材４０ａは、略Ｌ字形状の板状部材であって、収納状態において第２パッシブラジエータ２２を覆うことのできる左側反射板６１および右側反射板６２を備える。なお、この実施形態および以後の各実施形態では、特に言及しない限り、後面パネル１２に向かって左側を「左側」と、右側を「右側」と、それぞれ称する。左側反射板６１は、その右辺の軸６４を中心に、少なくとも後方に向かって回動可能である。また、右側反射板６２は、その左辺の軸６５を中心に、少なくとも後方に向かって回動可能である。ここで、「少なくとも」であるから、左側反射板６１および／または右側反射板６２は、軸６４および／または軸６５を中心に後方にも前方にも回転自在であっても良い。
【００３２】
軸６４と軸６５は、好ましくは互いに近接して、左側反射板６１および右側反射板６２から形成される板の左右方向の略中央部分に略垂直に立設されている。軸６４と軸６５は、スピーカ１の底面に収納および引出可動な略水平の底板６３に対して、それぞれ回転可能に、略直角に接続して成る。底板６３は、第１実施形態の底板４２に相当する板である。反射部材４０ａを第１位置に移動した際には、底板６３は、筐体１０の底部とほぼ重なった状態となる。また、左側反射板６１および右側反射板６２は、第２パッシブラジエータ２２を覆い、後面パネル１２に接する状態になる。左側反射板６１および右側反射板６２からなる板は、第２パッシブラジエータ２２を完全に覆うように、第２パッシブラジエータ２２よりも広い面積を有する板であるのが好ましい。
【００３３】
反射部材４０ａを第２位置に移動した際には、底板６３は、筐体１０の底部から後方へと引き出された状態となる。また、左側反射板６１および右側反射板６２は、第２パッシブラジエータ２２と略平行を維持したまま、後面パネル１２から所定距離だけ離れた状態になる。この状態から、（３Ｃ）に示すように、左側反射板６１を、軸６４を中心として後方（すなわち、軸６４を上から見て時計の針と反対方向）に回転し、右側反射板６２を、軸６５を中心として後方（すなわち、軸６５を上から見て時計の針と同じ方向）に回転すると、第２パッシブラジエータ２２から出力される音は、左側反射板６１および右側反射板６２に到達後に反射され、筐体１０の左側および右側に回り込み、前面パネル１１と向かい合っている聴者の耳に伝わる。反射部材４０ａの主要材料としては、上述した筐体１０の主要材料の候補から選択できる。反射部材４０ａは、好ましくは、共振しにくい材料から構成される。左側反射板６１および右側反射板６２は、第２パッシブラジエータ２２との対向面に、ゴム、フェルト、スポンジあるいは紙を貼り付けて、特定の周波数の音をカットした反射音を得るようにしても良い。
【００３４】
反射部材４０ａは、筐体１０から分離可能に構成されていても良く、その場合、底板６３を筐体１０の底部から抜ける構成を有していても良い。また、反射部材４０ａは、筐体１０から容易に分離できないように構成されていても良く、その場合、底板６３に、筐体１０の底部に底板６３の先端部分を保持するためのストッパーを備えても良い。反射部材４０ａは、第２パッシブラジエータ２２からの音を、筐体１０の左側および右側にそれぞれ反射させる左側反射板６１および右側反射板６２を備える。さらに、左側反射板６１および右側反射板６２は、各角度を調整可能に構成されている。このため、スピーカ１は、第１実施形態の効果に加え、当該調整によって、反射音の回り込み経路を変化させることができ、もって、部屋の広さや、聴者とスピーカ１との距離等に応じて重低音の出力を変化させることができるという効果も奏する。
【００３５】
（第３実施形態）
次に、第３実施形態に係るパッシブラジエータ搭載型スピーカについて説明する。第３実施形態において、先の各実施形態と共通する部分については、先の各実施形態における説明で代用し、重複した説明を省略する。
【００３６】
図４は、第３実施形態に係るパッシブラジエータ搭載型スピーカの反射部材を後面パネルに向かって収納した状態の後方斜視図（４Ａ）、当該反射部材を後方に引き出した状態の後方斜視図（４Ｂ）、（４Ｂ）の状態から上側反射板の角度を変化させた状態の後方斜視図（４Ｃ）を、それぞれ示す。
【００３７】
スピーカ１の筐体１０の内部および外表面の構成は、第１実施形態と共通する。スピーカ１は、第２パッシブラジエータ２２と外方向に間隔をあけて対向する位置に反射部材４０ｂを備える。反射部材４０ｂは、好ましくは、第２パッシブラジエータ２２を覆う第１位置から、第２パッシブラジエータ２２から後方に離れる第２位置まで往復可動となっている。反射部材４０ｂは、略Ｌ字形状の板状部材であって、第１実施形態における反射部材４０と近似した構成を有する。反射部材４０ｂは、反射部材４０と異なり、第２パッシブラジエータ２２からの音を、筐体１０の上側に反射させる上側反射板７１を備えている。また、上側反射板７１は、底板７２（第１実施形態における底板４２に相当する板）に対して、直角の状態から少なくとも後方に向かって回転可能である。ここで、「少なくとも」であるから、上側反射板７１は、筐体１０側にも回転自在であっても良い。反射部材４０の平行反射板４１は底板４２に対して角度不変に固定されているが、反射部材４０ｂの上側反射板７１は、底板７２に対して角度可変に備えられている。この動作を実現するため、上側反射板７１は、略水平に伸びる軸７０を中心に回転可能に、底板７２に保持されている。上側反射板７１が好ましくは第２パッシブラジエータ２２より広い面積であるのが好ましい点、底板７２が筐体１０から容易に分離可能であっても容易に分離不能であっても良い点については、第１実施形態と共通する。上側反射板７１は、第２パッシブラジエータ２２との対向面に、ゴム、フェルト、スポンジあるいは紙を貼り付けて、特定の周波数の音をカットした反射音を得るようにしても良い。
【００３８】
反射部材４０ｂは、上側反射板７１を後方に回転させて、上側反射板７１の後面パネル１２と対向していた面を上側に向けることができ、かつその角度も調整自在である。このため、スピーカ１は、第１実施形態と同様の効果に加え、反射音の上方への回り込み経路を変化させることができ、もって、部屋の広さや、聴者とスピーカ１との距離等に応じて重低音の出力を変化させることができるという効果も奏する。
【００３９】
（第４実施形態）
次に、第４実施形態に係るパッシブラジエータ搭載型スピーカについて説明する。第４実施形態において、先の各実施形態と共通する部分については、先の各実施形態における説明で代用し、重複した説明を省略する。
【００４０】
図５は、第４実施形態に係るパッシブラジエータ搭載型スピーカの後方に向かって反射部材を引き出した状態の前方斜視図（５Ａ）、当該反射部材を引き出した状態の後方斜視図（５Ｂ）、当該反射部材を後面パネルに向かって収納した状態の前方斜視図（５Ｃ）および当該反射部材を後面パネルに向かって収納した状態の後方斜視図（５Ｄ）を、それぞれ示す。
【００４１】
スピーカ１の筐体１０の内部および外表面の構成は、第１実施形態と共通する。スピーカ１は、第２パッシブラジエータ２２と外方向に間隔をあけて対向する位置に反射部材４０ｃを備える。反射部材４０ｃは、好ましくは、第２パッシブラジエータ２２を覆う第１位置から、第２パッシブラジエータ２２から後方に離れる第２位置まで往復可動となっている。反射部材４０ｃは、第１実施形態における反射部材４０と異なり略Ｌ字形状の板状部材ではない。反射部材４０ｃは、第１実施形態における平行反射板４１に相当する平行反射板８１と、平行反射板８１と後面パネル１２とを繋ぐロッド８２，８２とを備える。平行反射板８１は、第２パッシブラジエータ２２との対向面に、ゴム、フェルト、スポンジあるいは紙を貼り付けて、特定の周波数の音をカットした反射音を得るようにしても良い。ロッド８２，８２は、後面パネル１２から筐体１０の内部に向かって形成された穴８３，８３に挿入され、平行反射板８１と後面パネル１２との間の距離を変動自在に、穴８３，８３内を移動可能となっている。
【００４２】
このように、第１実施形態の底板４２に代えて、ロッド８２，８２を用いて、平行反射板８１を第２パッシブラジエータ２２と対向配置することができる。スピーカ１は、底板４２を備えていないので、第１実施形態と同様の効果に加え、第２パッシブラジエータ２２からの音を平行反射板８１にて反射した後、筐体１０の底部にも伝えることができるという効果も奏する。スピーカ１の底部を床に全面接触させないように設置すると、第２パッシブラジエータ２２からの音を筐体１０の底部をも経由させて、前面パネル１１側に位置する聴者の耳に伝えることができる。
【００４３】
（第５実施形態）
次に、第５実施形態に係るパッシブラジエータ搭載型スピーカについて説明する。第５実施形態において、先の各実施形態と共通する部分については、先の各実施形態における説明で代用し、重複した説明を省略する。
【００４４】
図６は、第５実施形態に係るパッシブラジエータ搭載型スピーカの後方に向かって反射部材を引き出した状態の前方斜視図（６Ａ）、当該反射部材を引き出した状態の後方斜視図（６Ｂ）、当該反射部材を後面パネルに向かって収納した状態の前方斜視図（６Ｃ）および当該反射部材を後面パネルに向かって収納した状態の後方斜視図（６Ｄ）を、それぞれ示す。
【００４５】
スピーカ１の筐体１０の内部および外表面の構成は、第１実施形態と共通する。スピーカ１は、第２パッシブラジエータ２２と外方向に間隔をあけて対向する位置に反射部材４０ｄを備える。反射部材４０ｄは、好ましくは、第２パッシブラジエータ２２を覆う第１位置から、第２パッシブラジエータ２２から後方に離れる第２位置まで往復可動となっている。反射部材４０ｄは、第４実施形態における反射部材４０ｃと同様、底板４２に相当する板を備えておらず、ロッド９２，９２と、それらロッド９２，９２に接続された反射板９１とを備える。ロッド９２，９２は、後面パネル１２から筐体１０の内部に向かって形成された穴９３，９３に挿入され、反射板９１と後面パネル１２との間の距離を変動自在に、穴９３，９３内を移動可能となっている。
【００４６】
反射板９１は、上側反射板９５と下側反射板９６とを上下方向に境界ライン９４で接続した屈曲形態の板である。上側反射板９５は、境界ライン９４の部分にて鉛直上方向から後方に傾斜させた斜め上向きの板である。下側反射板９６は、境界ライン９４の部分にて鉛直下方向から後方に傾斜させた斜め下向きの板である。上側反射板９５は、第２パッシブラジエータ２２からの音を、筐体１０の上側に反射させる板である。下側反射板９６は、第２パッシブラジエータ２２からの音を、筐体１０の下側に反射させる板である。上側反射板９５および下側反射板９６は、第２パッシブラジエータ２２との対向面に、ゴム、フェルト、スポンジあるいは紙を貼り付けて、特定の周波数の音をカットした反射音を得るようにしても良い。
【００４７】
このように、スピーカ１は、底板４２を備えず、かつ上側反射板９５および下側反射板９６を備えているので、第２パッシブラジエータ２２からの音を両反射板９５，９６にて反射した後、筐体１０の上側および下側（＝底部）の両方向に効果的に伝えることができる。したがって、スピーカ１は、第１実施形態と同様の効果に加え、第４実施形態における平行反射板８１を備えた反射部材４０ｃと比して第２パッシブラジエータ２２からの反射音が筐体１０の影響を受けずに聴者側に容易に届くという効果も奏する。
【００４８】
（その他の実施形態）
以上、本発明の各実施形態に係るスピーカ１について説明したが、本発明は、これら実施形態に限定されず、種々変形を施して実施できる。
【００４９】
上述の各実施形態に係るスピーカ１は、第１パッシブラジエータ２１および第２パッシブラジエータ２２をそれぞれ１個ずつ備えるが、第１パッシブラジエータ２１または第２パッシブラジエータ２２を複数個備えても良い。また、反射部材４０，４０ａ，４０ｂ，４０ｃ，４０ｄ（「反射部材４０等」という）は、筐体１０の第２パッシブラジエータ２２との距離を可変に構成されているが、第２パッシブラジエータ２２との距離を所定間隔に保持した状態で、筐体１０に固定されていても良い。ただし、反射部材４０等を筐体１０の後面パネル１２側に収納可能にする方が、スピーカ１の持ち運びの際に有利である。
【００５０】
反射部材４０等は、後面パネル１２に最も近づいた位置（第１位置）から最も離れた位置（第２位置）まで無段階で距離を変えることができる。ただし、反射部材４０等を段階的にその距離を変えることのできる部材としても良い。また、左側反射板６１および右側反射板６２は、それぞれ軸６４および軸６５を中心として無段階で回転可能であるが、段階的にその角度を変えるようにしても良い。反射板９１は、上側反射板９５および下側反射板９６の鉛直方向に対する各角度を固定した板材であるが、第３実施形態における左側反射板６１および右側反射板６２と同様に、鉛直方向に対する各角度を変化自在としても良い。
【００５１】
第４実施形態において、平行反射板８１をロッド８２，８２に対して固定せず、ロッド８２，８２に対して上方向および／または下方向に角度可変に構成しても良い。例えば、ロッド８２，８２の各先端にボールを備え、平行反射板８１に当該ボールを非固定で囲む凹部を備えることにより、当該角度可変な構成を実現できる。また、第５実施形態において、反射板９１をロッド９２，９２に対して固定せず、ロッド９２，９２に対して上方向および／または下方向に角度可変に構成しても良い。前述のように、ロッド９２，９２の各先端にボールを備え、反射板９１に当該ボールを非固定で囲む凹部を備えることにより、当該角度可変な構成を実現できる。
【００５２】
上述の各実施形態は、組み合わせ不可能な場合を除き、任意にそれらの構成の一部を組み合わせることができる。一例を挙げると、第１実施形態と第２実施形態とを組み合わせて、平行反射板４１と、左側反射板６１と、右側反射板６２とを備えた反射部材をスピーカ１に備えても良い。また、別の一例を挙げると、第２実施形態と第５実施形態とを組み合わせて、反射板９１（上側反射板９５と下側反射板９６から成る板）の左右に、左側反射板６１と、右側反射板６２とをそれぞれ備えた反射部材をスピーカ１に備えても良い。
【産業上の利用可能性】
【００５３】
本発明は、スピーカ、特に小型のスピーカに利用できる。
【符号の説明】
【００５４】
１・・・スピーカ（パッシブラジエータ搭載型スピーカ）、１０・・・筐体、１１・・・前面パネル（対向面の一つ）、１２・・・後面パネル（対向面の一つであって、一方の面に相当）、２１・・・第１パッシブラジエータ、２２・・・第２パッシブラジエータ、４０，４０ａ，４０ｂ，４０ｃ，４０ｄ・・・反射部材、４１，８１・・・平行反射板、６１・・・左側反射板、６２・・・右側反射板、７１，９５・・・上側反射板、９６・・・下側反射板。
【図１】
2018056747.tif 000003
【図２】
2018056747.tif 000004
【図３】
2018056747.tif 000005
【図４】
2018056747.tif 000006
【図５】
2018056747.tif 000007
【図６】
2018056747.tif 000008
【図７】
2018056747.tif 000009